(57)【要約】【課題】ユーザ名等の少なくとも一部が入力されたときに、ユーザ名等の候補を表示装置に表示させる場合に、ユーザの要望に応じて自己の情報を表示対象から除外することが可能な表示制御装置及びこの表示制御装置を備えた画像形成装置を提供する。【解決手段】ユーザ名等の検索対象文字列の少なくとも一部が入力されたときに、検索対象文字列の候補を抽出する抽出手段８と、抽出手段により抽出された検索対象文字列の候補を表示装置１３２に表示させる表示制御手段８と、検索対象文字列毎に表示許否を設定可能な設定手段８を備えている。前記表示制御手段８は、前記設定手段８により表示しないことが設定された検索対象文字列については、表示対象から除外する。【選択図】  図１６
2006101190.tif 000002
【特許請求の範囲】
【請求項１】
検索対象文字列の少なくとも一部が入力されたときに、検索対象文字列の候補を抽出する抽出手段と、
前記抽出手段により抽出された検索対象文字列の候補を表示装置に表示させる表示制御手段と、
検索対象文字列毎に表示許否を設定可能な設定手段と、
を備え、
前記表示制御手段は、前記設定手段により表示しないことが設定された検索対象文字列については、表示対象から除外することを特徴とする表示制御装置。
【請求項２】
画像形成装置の使用に際して認証を受けるためにユーザ名の少なくとも一部が入力されたときに、ユーザ名の候補を抽出する抽出手段と、
前記抽出手段により抽出されたユーザ名の候補を表示装置に表示させる表示制御手段と、
ユーザ名毎に表示許否を設定可能な設定手段と、
を備え、
前記表示制御手段は、前記設定手段により表示しないことが設定されたユーザ名については、表示対象から除外することを特徴とする表示制御装置。
【請求項３】
表示装置に表示されたユーザ名の中から所定のユーザ名を選択して画像形成装置の機能を使用するときの前記表示の許否を、ユーザ名毎に設定可能な設定手段と、
前記設定手段による設定内容に基づいて、各ユーザ名を表示装置へ表示するか否かを制御する表示制御手段と、
を備えていることを特徴とする表示制御装置。
【請求項４】
前記設定手段は、同一のユーザ名に対し、前記画像形成装置へのユーザのアクセス形態に応じて異なる設定が可能である請求項２または３に記載の表示制御装置。
【請求項５】
前記設定手段は、同一のユーザ名に対し、前記画像形成装置の機能に応じて異なる設定が可能である請求項３に記載の表示制御装置。
【請求項６】
前記設定手段は、ユーザ認証により画像形成装置の使用が許可されたユーザのユーザ名と、表示許否の設定対象のユーザ名とを比較し、ユーザ名が同一の場合に設定を許可する請求項２ないし５のいずれかに記載の表示制御装置。
【請求項７】
前記表示制御手段は、ユーザによる画像形成装置のログオフ時に、表示許否の次回設定のための表示画面を表示装置に表示させる請求項２ないし６のいずれかに記載の表示制御装置。
【請求項８】
請求項１ないし７のいずれかに記載の表示制御装置を備えた画像形成装置。
【請求項９】
検索対象文字列の少なくとも一部が入力されたときに、検索対象文字列の候補を抽出する抽出ステップと、
前記抽出ステップで抽出された検索対象文字列の候補を表示装置に表示させる表示制御ステップと、
検索対象文字列毎に表示許否を設定する表示許否設定ステップと、
を備え、
前記表示制御ステップでは、前記表示許否設定ステップにおいて表示しないことが設定された検索対象文字列については、表示対象から除外することを特徴とする表示制御方法。
【請求項１０】
画像形成装置の使用に際して認証を受けるためにユーザ名の少なくとも一部が入力されたときに、ユーザ名の候補を抽出する抽出ステップと、
前記抽出ステップにより抽出されたユーザ名の候補を表示装置に表示させる表示制御ステップと、
ユーザ名毎に表示許否を設定する表示許否設定ステップと、
を備え、
前記表示制御ステップでは、前記表示許否設定ステップにおいて表示しないことが設定されたユーザ名については、表示対象から除外することを特徴とする表示制御方法。
【請求項１１】
表示装置に表示されたユーザ名の中から所定のユーザ名を選択して画像形成装置の機能を使用するときの前記表示の許否を、ユーザ名毎に設定する表示許否設定ステップと、
前記表示許否設定ステップでの設定内容に基づいて、各ユーザ名を表示装置へ表示するか否かを制御する表示制御ステップと、
を備えたことを特徴とする表示制御方法。
【請求項１２】
前記表示許否設定ステップでは、同一のユーザ名に対し、前記画像形成装置へのユーザのアクセス形態に応じて異なる設定が可能である請求項１０または１１に記載の表示制御方法。
【請求項１３】
前記表示許否設定ステップでは、同一のユーザ名に対し、前記画像形成装置の機能に応じて異なる設定が可能である請求項１１に記載の表示制御方法。
【請求項１４】
前記表示許否設定ステップでは、ユーザ認証により画像形成装置の使用が許可されたユーザのユーザ名と、表示許否の設定対象のユーザ名とを比較し、ユーザ名が同一の場合に設定を許可する請求項１０ないし１３のいずれかに記載の表示制御方法。
【請求項１５】
前記表示制御ステップでは、ユーザによる画像形成装置のログオフ時に、表示許否の次回設定のための表示画面を表示装置に表示させる請求項１０ないし１４のいずれかに記載の表示制御方法。
【請求項１６】
請求項１ないし７のいずれかに記載の表示制御方法が画像形成装置で実施される画像形成装置の表示制御方法。
【発明の詳細な説明】
【技術分野】
【０００１】
この発明は、例えばＭＦＰ（Multi Function Periferals)などの画像形成装置やコンピュータ等に用いられる表示制御装置、及びこの表示制御装置を備えた画像形成装置に関する。
【背景技術】
【０００２】
近年、種々の画像や文書の処理を扱うＭＦＰなどの画像形成装置を使用するにあたっては、画像や文書のセキュリティ確保、あるいはトナーや用紙などの資源管理のために、ユーザ名とパスワードを入力させることにより使用者を認証して特定する方法が採用されるようになっている。
【０００３】
このようなＭＦＰ等において、管理者にとってはユーザ認証の導入により管理しやすくなるものの、使用ユーザにとっては使用する度に、ユーザ名とパスワードを入力しなければならない煩わさがある。
【０００４】
この問題を解決するために、従来、ユーザ認証画面において少なくとも一つの文字（数字を含む）が入力されると、その文字からユーザ名の候補を頭出しして表示装置に一覧表示するようにした技術が開示されている（特許文献１）。
【０００５】
また、検索対象分野を指定し、各分野で検索文字を一文字ずつ入力し、入力に従って前方が一致する候補を抽出し表示する技術も開示されている（特許文献２）。
【特許文献１】特開２００２−１９７４３９号公報
【特許文献２】特開２００３−１９６３１４号公報
【発明の開示】
【発明が解決しようとする課題】
【０００６】
上記特許文献に記載された従来技術では、ユーザ認証画面においてユーザ名等を少なくとも一文字入力すると、ユーザ名等の候補が一覧表示されるので、入力操作の簡易化を図ることができるが、反面、ユーザ名の一覧表示により、ＭＦＰ等を使用するユーザに関する個人特有の情報が表示されることにもなる。
【０００７】
このため、本人が操作する場合には問題ないものの、他人が操作するときにはユーザ名として自分の名前を出されたくないという要望が生じているが、上記従来技術ではこの要望に対応できないという問題があった。
【０００８】
この発明は、上記実情に鑑みてなされたものであり、ユーザ名等の少なくとも一部が入力されたときに、ユーザ名等の候補を表示装置に表示させる場合に、ユーザの要望に応じて自己の情報を表示対象から除外することが可能な表示制御装置及びこの表示制御装置を備えた画像形成装置を提供することを課題とする。
【課題を解決するための手段】
【０００９】
上記課題は、以下の手段によって解決される。
（１）検索対象文字列の少なくとも一部が入力されたときに、検索対象文字列の候補を抽出する抽出手段と、前記抽出手段により抽出された検索対象文字列の候補を表示装置に表示させる表示制御手段と、検索対象文字列毎に表示許否を設定可能な設定手段と、を備え、前記表示制御手段は、前記設定手段により表示しないことが設定された検索対象文字列については、表示対象から除外することを特徴とする表示制御装置。
（２）画像形成装置の使用に際して認証を受けるためにユーザ名の少なくとも一部が入力されたときに、ユーザ名の候補を抽出する抽出手段と、前記抽出手段により抽出されたユーザ名の候補を表示装置に表示させる表示制御手段と、ユーザ名毎に表示許否を設定可能な設定手段と、を備え、前記表示制御手段は、前記設定手段により表示しないことが設定されたユーザ名については、表示対象から除外することを特徴とする表示制御装置。
（３）表示装置に表示されたユーザ名の中から所定のユーザ名を選択して画像形成装置の機能を使用するときの前記表示の許否を、ユーザ名毎に設定可能な設定手段と、前記設定手段による設定内容に基づいて、各ユーザ名を表示装置へ表示するか否かを制御する表示制御手段と、を備えていることを特徴とする表示制御装置。
（４）前記設定手段は、同一のユーザ名に対し、前記画像形成装置へのユーザのアクセス形態に応じて異なる設定が可能である前項２または３に記載の表示制御装置。
（５）前記設定手段は、同一のユーザ名に対し、前記画像形成装置の機能に応じて異なる設定が可能である前項３に記載の表示制御装置。
（６）前記設定手段は、ユーザ認証により画像形成装置の使用が許可されたユーザのユーザ名と、表示許否の設定対象のユーザ名とを比較し、ユーザ名が同一の場合に設定を許可する前項２ないし５のいずれかに記載の表示制御装置。
（７）前記表示制御手段は、ユーザによる画像形成装置のログオフ時に、表示許否の次回設定のための表示画面を表示装置に表示させる前項２ないし６のいずれかに記載の表示制御装置。
（８）前項１ないし７のいずれかに記載の表示制御装置を備えた画像形成装置。
（９）検索対象文字列の少なくとも一部が入力されたときに、検索対象文字列の候補を抽出する抽出ステップと、前記抽出ステップで抽出された検索対象文字列の候補を表示装置に表示させる表示制御ステップと、検索対象文字列毎に表示許否を設定する表示許否設定ステップと、を備え、前記表示制御ステップでは、前記表示許否設定ステップにおいて表示しないことが設定された検索対象文字列については、表示対象から除外することを特徴とする表示制御方法。
（１０）画像形成装置の使用に際して認証を受けるためにユーザ名の少なくとも一部が入力されたときに、ユーザ名の候補を抽出する抽出ステップと、前記抽出ステップにより抽出されたユーザ名の候補を表示装置に表示させる表示制御ステップと、ユーザ名毎に表示許否を設定する表示許否設定ステップと、を備え、前記表示制御ステップでは、前記表示許否設定ステップにおいて表示しないことが設定されたユーザ名については、表示対象から除外することを特徴とする表示制御方法。
（１１）表示装置に表示されたユーザ名の中から所定のユーザ名を選択して画像形成装置の機能を使用するときの前記表示の許否を、ユーザ名毎に設定する表示許否設定ステップと、前記表示許否設定ステップでの設定内容に基づいて、各ユーザ名を表示装置へ表示するか否かを制御する表示制御ステップと、を備えたことを特徴とする表示制御方法。
（１２）前記表示許否設定ステップでは、同一のユーザ名に対し、前記画像形成装置へのユーザのアクセス形態に応じて異なる設定が可能である前項１０または１１に記載の表示制御方法。
（１３）前記表示許否設定ステップでは、同一のユーザ名に対し、前記画像形成装置の機能に応じて異なる設定が可能である前項１１に記載の表示制御方法。
（１４）前記表示許否設定ステップでは、ユーザ認証により画像形成装置の使用が許可されたユーザのユーザ名と、表示許否の設定対象のユーザ名とを比較し、ユーザ名が同一の場合に設定を許可する前項１０ないし１３のいずれかに記載の表示制御方法。
（１５）前記表示制御ステップでは、ユーザによる画像形成装置のログオフ時に、表示許否の次回設定のための表示画面を表示装置に表示させる前項１０ないし１４のいずれかに記載の表示制御方法。
（１６）前項１ないし７のいずれかに記載の表示制御方法が画像形成装置で実施される画像形成装置の表示制御方法。
【発明の効果】
【００１０】
前項（１）に記載の発明によれば、各検索対象文字列毎に表示許否を設定することができるから、表示しないことが設定された場合には、その検索対象文字列は表示装置に表示されないことになり、他人が操作するときには自己の情報は表示されたくないというユーザの要望に応えることができる。一方、表示しないことを設定しない場合には、検索対象文字列の少なくとも一部が入力されると、抽出手段により検索対象文字列の候補が抽出され、この抽出された検索対象文字列の候補が表示装置に表示されるから、文字入力操作の簡易化をはかることができる。
【００１１】
前項（２）に記載の発明によれば、画像形成装置の使用に際して認証を受けるためにユーザ名の少なくとも一部が入力されると、抽出手段によりユーザ名の候補が抽出され、この抽出されたユーザ名の候補が表示装置に表示されるから、文字入力操作の簡易化をはかることができるうえ、各ユーザ名毎に表示許否を設定することができるから、自己のユーザ名については表示しないように設定することにより、他人が操作するときには自己のユーザ名は表示されたくないというユーザの要望に応えることができる。
【００１２】
前項（３）に記載の発明によれば、表示装置に表示されたユーザ名の中から所定のユーザ名を選択して画像形成装置の機能を使用するときの前記表示の許否を、ユーザ名毎に設定可能であるから、自己のユーザ名については表示しないように設定することにより、他人が操作するときには自己のユーザ名は表示されたくないというユーザの要望に応えることができる。
【００１３】
前項（４）に記載の発明によれば、同一のユーザ名に対し、前記画像形成装置へのユーザのアクセス形態に応じて異なる設定が可能であるから、ユーザの使用状況に応じた設定が可能となる。
【００１４】
前項（５）に記載の発明によれば、同一のユーザ名に対し、前記画像形成装置の機能に応じて異なる設定が可能であるから、ユーザの使用状況に応じた設定が可能となる。
【００１５】
前項（６）に記載の発明によれば、ユーザ認証により画像形成装置の使用が許可されたユーザのユーザ名と、表示許否の設定対象のユーザ名とが同一の場合に設定を許可するから、ユーザが他人のユーザ名について勝手に表示許否の設定をするのを防止できる。
【００１６】
前項（７）に記載の発明によれば、ユーザによる画像形成装置のログオフ時に、表示許否の次回設定のための表示画面が表示装置に表示されるから、ユーザは画像形成装置を使用する毎に設定や確認を行うことができ、便利である。
【００１７】
前項（８）に記載の発明によれば、画像形成装置に上記表示制御装置が備えられているから、上述したような各種の効果を実現できる画像形成装置となし得る。
【００１８】
前項（９）に記載の発明によれば、各検索対象文字列毎に表示許否を設定することができるから、表示しないことが設定された場合には、その検索対象文字列は表示装置に表示されないことになり、他人が操作するときには自己の情報は表示されたくないというユーザの要望に応えることができる。一方、表示しないことを設定しない場合には、検索対象文字列の少なくとも一部が入力されると、抽出手段により検索対象文字列の候補が抽出され、この抽出された検索対象文字列の候補が表示装置に表示されるから、文字入力操作の簡易化をはかることができる。
【００１９】
前項（１０）に記載の発明によれば、画像形成装置の使用に際して認証を受けるためにユーザ名の少なくとも一部が入力されると、ユーザ名の候補が抽出され、この抽出されたユーザ名の候補が表示装置に表示されるから、文字入力操作の簡易化をはかることができるうえ、各ユーザ名毎に表示許否を設定することができるから、自己のユーザ名については表示しないように設定することにより、他人が操作するときには自己のユーザ名は表示されたくないというユーザの要望に応えることができる。
【００２０】
前項（１１）に記載の発明によれば、表示装置に表示されたユーザ名の中から所定のユーザ名を選択して画像形成装置の機能を使用するときの前記表示の許否を、ユーザ名毎に設定可能であるから、自己のユーザ名については表示しないように設定することにより、他人が操作するときには自己のユーザ名は表示されたくないというユーザの要望に応えることができる。
【００２１】
前項（１２）に記載の発明によれば、同一のユーザ名に対し、前記画像形成装置へのユーザのアクセス形態に応じて異なる設定が可能であるから、ユーザの使用状況に応じた設定が可能となる。
【００２２】
前項（１３）に記載の発明によれば、同一のユーザ名に対し、前記画像形成装置の機能に応じて異なる設定が可能であるから、ユーザの使用状況に応じた設定が可能となる。
【００２３】
前項（１４）に記載の発明によれば、ユーザ認証により画像形成装置の使用が許可されたユーザのユーザ名と、表示許否の設定対象のユーザ名とが同一の場合に設定を許可するから、ユーザが他人のユーザ名について勝手に表示許否の設定をするのを防止できる。
【００２４】
前項（１５）に記載の発明によれば、ユーザによる画像形成装置のログオフ時に、表示許否の次回設定のための表示画面が表示装置に表示されるから、ユーザは画像形成装置を使用する毎に設定や確認を行うことができ、便利である。
【００２５】
前項（１６）に記載の発明によれば、画像形成装置において上記表示制御方法を実施することにより、上述したような各種の効果を実現できる。
【発明を実施するための最良の形態】
【００２６】
以下、この発明の一実施形態を図面に基づいて説明する。
【００２７】
図１は、この発明の一実施形態に係る表示制御装置を備えた画像形成装置を用いた画像形成システムを示すブロック図である。
【００２８】
図１の画像形成システムは、画像形成装置としてのＭＦＰ１、パーソナルコンピュータ等からなるユーザ端末２、ＭＦＰ１の外部に設けられた認証サーバ３を備え、これらのＭＦＰ１、ユーザ端末２、認証サーバ３はネットワーク４を介して接続されている。
【００２９】
図２は、前記ＭＦＰ１の電気的構成を示すブロック図である。
【００３０】
このＭＦＰ１は、画像データのスキャン送信、コピー、プリント、ファクシミリ送信等が可能である。図２おいて、ＭＦＰ１は、ＣＰＵ８と、ＣＰＵ８が実行するプログラムの作業領域となるＲＡＭ５と、ＣＰＵ８の動作プログラムが格納されたＲＯＭ６と、記憶部７と、操作パネル１３と、スキャナ部１４と、印刷部１５と、通信部１６と、ＮＣＵ（Netwaork Control Unit:ネットワーク制御装置) １７とを備えている。
【００３１】
前記記憶部７は、各種のプログラムやスキャナー部１４で読み取った画像データなどを記憶する他に、ユーザの登録名すなわちユーザ名や、そのユーザ名をユーザ端末の表示装置や操作パネル１３の表示部に一覧表示させても良いか否か等の設定情報を、表示許否設定登録部７２に記憶している。また、記憶部７は不揮発性の記憶領域からなる複数のボックス７１・・・を備え、このボックス７１に画像データ等を含む各種のファイルが格納されている。これらのボックスは、ボックス毎にユーザによって管理されるものとなされている。
【００３２】
前記操作パネル１３は、モード設定キー、スタートボタン、テンキー等の各種入力キー１３１と、液晶などからなるタッチパネル式の表示部１３２を有しており、ＭＦＰ１の使用時やモード設定時などに、操作されるものである。
【００３３】
前記スキャナー部１４は、原稿画像を読み取って画像データに変換するものである。
【００３４】
前記印刷部（プリント部ともいう）１５は、前記スキャナー部１４によって読み取られた画像データや、前記記憶部７のボックス７１に記憶されている画像データ等を、用紙に印刷するものである。
【００３５】
前記通信部１６は、ネットワーク４を介してユーザ端末２との間で画像データなどの各種データの送受信を行うネットワークインターフェースとして機能する。
【００３６】
前記ＮＣＵ１７は、通常の電話回線で繋がれた相手に対する発信や着信を制御するものであり、ファクシミリ（以下ＦＡＸともいう）送受信時に用いられる。
【００３７】
前記ＣＰＵ８は、ＭＦＰ１の全体を統括制御するほか、この実施形態では、各種の機能を備えている。具体的には、検索対象文字列として例えばユーザ名の一部が入力された時に、記憶部７に記憶されているユーザ名の中から該当する候補を抽出する機能を有している。また、抽出したユーザ名の候補を、操作パネル１３における表示部１３２やユーザ端末２の表示装置に一覧表示させる機能も有している。
【００３８】
さらに、ＣＰＵ８は、記憶部７に記憶されている各ユーザ名について、操作パネル１３における表示部１３２やユーザ端末の表示装置に表示させても良いか否かを、ユーザの入力指示に基づいて前記表示許否設定登録部７２に設定登録する機能をも有しており、この設定登録内容に基づいて、ＣＰＵ８はユーザ名を表示対象から除外するか否か制御する。
【００３９】
さらには、この設定に際して、設定対象となっているユーザ名が認証サーバ３により認証を受けたユーザのユーザ名と同一であるか否かを判断し、同一である場合、換言すれば認証サーバ３により認証を受けたユーザが自己のユーザ名について表示の許否を設定する場合にのみ、その設定を許可する機能をも有している。
【００４０】
さらに、ＣＰＵ８は、ユーザがユーザ端末２からＭＦＰ１にアクセスしている（ネットワークアクセス）か、ＭＦＰ１自身の操作パネル１３からアクセスしている（本体アクセス）かを判断する機能を有するとともに、ユーザがＭＦＰ１に対してログオフするときに、ユーザ名についての表示許否の再設定を行うための表示画面を、ユーザ端末２の表示装置や操作パネル１３の表示部１３２に表示させる機能をも有している。
【００４１】
図３は、前記ＭＦＰ１とユーザ端末２の各機能を示す構成図である。
【００４２】
図３において、ＭＦＰ１は、スキャナ部１４に対してスキャナ制御部１８を有し、プリント部１５に対するプリントコントローラ部１９を有しており、また、ユーザ端末２は、ＣＰＵ２１、ＲＡＭ２２およびＲＯＭ２３の他に、ファイル置換制御部２４、ファイル蓄積部２５、プリンタドライバ２６、ネットワーク３を介してＭＦＰ１なとの間でデータ授受を行わせる通信部２７および表示制御部２８などを有している。
【００４３】
前記ＭＦＰ１におけるスキャナ制御部１８は、色変換部１８１、領域分離部１８２、ＭＴＦ補正部１８３、ＯＣＲ部１８４および圧縮部１８５などから構成されている。
【００４４】
前記プリントコントローラ部１９は、前記ＣＰＵ８、ＲＡＭ５、ＲＯＭ６、通信部１６およびＮＣＵ１７の他に、画像処理部１９１などを備えている。
【００４５】
前記画像処理部１９１は、ＲＩＰ（Raster Image Processor) 部１９５、メモリ部１９６、ファイル変換部１９７および伸長部１９８などからなる。
【００４６】
前記認証サーバ３は、ＭＦＰ１から送信されてきたユーザ情報と、認証サーバ３内に蓄積されているユーザ情報とに基づいて、ユーザ認証を行うものであり、その結果は認証サーバ３からＭＦＰ１に送信される。
【００４７】
ユーザは、ＭＦＰ１を使用する場合、ＭＦＰ１にアクセスしてユーザＩＤとパスワード等を入力し、認証を受ける必要がある。ＭＦＰ１へのアクセス方法としては前述したように、ＭＦＰ１の操作パネル１３からアクセスする本体アクセスと、ユーザ端末２からネットワーク４を介してアクセスするネットワークアクセスとがある。
【００４８】
本体アクセスの場合、ユーザは操作パネル１３からＭＦＰ１へログインし、操作パネル１３からユーザＩＤやパスワード等を入力する。ネットワークアクセスの場合、ユーザはユーザ端末２の表示装置の表示画面とキーボードやマウス等の入力操作手段を使用してユーザＩＤやパスワード等を入力する。
【００４９】
以下の説明では、本体アクセスの場合を例にとって説明する。
【００５０】
図４は、ＭＦＰ１の操作パネル１３の表示部１３２に表示されたユーザ認証のための認証画面である。図４の画面では、ユーザ名入力欄Ｐとともに、全文字入力のための「文字入力」キーＡ、およびユーザ名が一文字入力される毎に該当するユーザ名の候補を絞り込みながら一覧表示させて選択入力するるための「選択入力」キーＢが表示されている。
【００５１】
ユーザが「選択入力」キーＢを選択操作すると、操作パネル１３の表示部１３２は図５の表示画面に切り替わる。この画面では、ユーザ名入力欄Ｐとパスワード入力欄Ｃとアルファベットからなる入力キーＤが表示され、ユーザは入力キーＤにより、ユーザ名及びパスワードを入力するようになっている。
【００５２】
この画面では、ユーザ名の入力が簡単に行えるように、ユーザがユーザ名の頭の文字を入力すると、図６に示すように、ユーザ名を示すユーザ登録キーＥが一覧表示される。
【００５３】
図６の例では、ユーザが自己のユーザ名「ｎａｋａｍｕｒａ」を入力する場合に、最初に「ｎａ」を入力すると、「ｎａ」で始まるユーザ名の登録キー（「ｎａｋａｍｕｒａ」、「ｎａｋａｎｉｓｉ」、「ｎａｋａｎｏ」、「ｎａｋａｙａ」、「ｎａｎｂａｒａ」）Ｅがすべて表示されることになる。他のユーザ（例えばｎａｋａｎｉｓｉ）が使用時、「ｎａ」と入力しても、「ｎａｋａｍｕｒａ」を含め、すべてのユーザ名が一覧表示される。
【００５４】
ユーザ（この例では、「ｎａｋａｍｕｒａ」）が、他のユーザが使用する場合のユーザ認証画面で、自分のユーザ名の登録キーを一覧表示させたくない場合には、事前に表示しない（以下、表示オフともいう）設定をしておく。具体的には、図７に示すように、他のユーザが操作している時には、「ｎａｋａｍｕｒａ」のユーザ名登録キーＥが表示オフとなるように設定しておく。この設定については後述する。
【００５５】
図８は、前記の表示オフの設定を行っていない状態で、「ｎａｋａ」まで入力したときの画面であり、この時点で「ｎａｋａ」を有しない「ｎａｎｂａｒａ」のユーザ名が一覧表示から除外され、ユーザ名の候補がさらに絞り込まれている。図９は、表示オフの設定がなされている状態で、「ｎａｋａ」まで入力したときの画面であり、「ｎａｎｂａｒａ」とともに「ｎａｋａｍｕｒａ」のユーザ名も表示対象から除外されている。
【００５６】
従ってユーザは、自己のユーザ名について表示オフの設定をしておくことにより、他人が「選択入力」キーＢを選択したときには自己のユーザ名は表示されないから、個人特有の情報が他人に知られるのを防止できる。また、表示オフの設定をしていないユーザ名については、一覧表示されるから、ユーザはユーザ名の表示を適当に絞り込んだ状態で、自己のユーザ名の登録キーＥを選択操作すると、そのユーザ名がユーザ名入力欄Ｐに反映される。従って、ユーザはユーザ名の全ての文字を入力する必要はなくなり、入力操作が簡素化される。
【００５７】
こうして、ユーザがユーザ名を入力したのち、入力キーＤを用いてパスワードを入力し、図示しない確定ボタンを押すと、これらの情報がＭＦＰ１で受け付けられ、ＭＦＰ１のＣＰＵ８はこれらの情報を認証サーバ３に送信する。そして、認証サーバ３による認証が成功すると、ユーザはＭＦＰ１を使用することが可能となる。
【００５８】
図４〜図９に示した実施形態では、認証のためのユーザ名の入力時にユーザ名の表示がオフとなる場合を示したが、ユーザ名の表示許否の設定は、認証時だけでなく、ユーザ名を一覧表示させてその中から所定のユーザ名を選択操作することによりＭＦＰ１の機能を使用する全ての場面において適用可能である。
【００５９】
例えば、スキャナー部１４で読み取った画像データやボックス７１・・・内に保存された画像データを指定して、電子メール送信やＦＴＰ（File Transfer Protocol）送信により送信宛先に送信するスキャンモードにおいて、前記送信先を指定するのに、一覧表示されたユーザ名の中から選択する場合においても、適用可能である。この例を図１０および図１１に示す。
【００６０】
すなわち、送信先を指定して画像データを送信する場合、図１０に示すように、登録キーＥ（「ｎａｋａｍｕｒａ」、「ｎａｎｂａｒａ」、「ｔａｎａｋａ」のすべてを表示させ、この中から所期する宛先を選択する。ここでも、自己（例えば「ｎａｋａｍｕｒａ」）のユーザ名が表示された登録キーＥを表示させたくない場合には、事前に表示オフの設定を行っておくことにより、図１１に示すように「ｎａｋａｍｕｒａ」を表示させないようにすることが可能である。
【００６１】
また、図１２及び図１３は、スキャナー部１４で読み取った画像データやユーザ端末２から送信されたプリントデータ等をボックス７１・・・に保存するボックス保存モードにおいて、保存先ボックスを指定するのにユーザ名の一覧表示の中から選択する場合の適用例を示している。
【００６２】
すなわち、画像データの保存先ボックスを指定して保存する場合、図１２に示すように、登録キーＥ（「共有」「ｎａｋａｍｕｒａ」、「ｎａｎｂａｒａ」、「ｔａｎａｋａ」のすべてを表示させ、この中から所期するユーザ名のボックスを選択する。ここでも、自己（例えば「ｎａｋａｍｕｒａ」）のユーザ名の登録キーＥを表示させたくない場合には、事前に表示オフの設定を行うことにより、図１３に示すように「ｎａｋａｍｕｒａ」を表示させないようにすることが可能である。
【００６３】
詳細な説明は省略するが、ファクシミリ送信モードにおいて、送信先を指定して画像データを送信する場合に、ユーザ名の一覧表示の中から送信先を選択する場面で適用しても良い。
【００６４】
また、画像データ等の送信先をユーザ名で選択する場合と、画像データ等の保存先ボックスをユーザ名で選択する場合のように、使用する機能に応じて、表示許否の設定内容を変えることも可能である。
【００６５】
例えば、送信先の選択の場合には、図１１に示すように「ｎａｋａｍｕｒａ」について表示オフを設定し、保存先ボックスの選択の場合には、図１４に示すように「ｎａｋａｍｕｒａ」については表示オフを設定せず、「ｎａｎｂａｒａ」について表示オフを設定するようにしてもよい。このようにすることにより、例えば送信先ユーザ名を公開することにより悪意を持った者からの不必要なデータをネットワーク送信の宛先として設定されてしまい、自己のＰＣやメールサーバに悪影響を及ぼすという恐れがない。一方、保存先ボックスの選択の場合には、上記のような場合でも、ＭＦＰ１のハードディスク上の領域が占領されてしまうだけなので、利便性を重視して表示オンを設定するなど、ユーザにとってのＭＦＰの利用状況やＭＦＰ１の使用環境に応じてユーザの利便性と個人情報の流出とのバランスに沿った適切な設定を行うことができる。
【００６６】
また、同じ機能においても、本体アクセスかネットワークアクセスかに応じて表示許否設定を変えてもよい。例えば、保存先ボックスの選択の場合において、本体アクセスに対しては表示オフを設定せず、ネットワークアクセスに対しては表示オフを設定するようにしてもよい。このように設定することにより、ネットワークアクセスの場合には、不特定多数のユーザがアクセスする可能性があるので、多くのユーザに自己のユーザ名が知られてしまうという恐れを解消することができる。
【００６７】
このように、使用する機能毎に設定を変えることにより、あるいは本体アクセスかネットワークアクセスかに応じて設定を変えることにより、ユーザの要望に柔軟に対応でき、実情に即した使い勝手の良い装置とすることができる。
【００６８】
次に、図４〜図９に示したユーザ認証時のユーザ名の入力に際して、ＭＦＰ１のＣＰＵ８が実行する処理の流れを図１５のフローチャートを参照して説明する。なお、以下の説明ならびに図面では、ステップをＳと略記する。
【００６９】
図１５において、Ｓ１０１で、ＣＰＵ８はユーザ認証モードであることを判別して図４のユーザ名入力画面を表示する。次いで、Ｓ１０２では、ユーザ名を全文字入力するか否かすなわち図４の画面の文字入力キーＡが押されたか否かを判断し、全文字入力であると（Ｓ１０２の判断がＹＥＳ）、Ｓ１０３では、全文字入力のキー入力処理を行い、Ｓ１１３に進む。
【００７０】
全文字入力でない場合すなわち図４の画面の「選択入力キー」Ｂが押された場合には（Ｓ１０２の判断がＮＯ）、Ｓ１０４では、図５の入力画面を表示して、文字（１文字）入力の受付処理を行う。
【００７１】
Ｓ１０５では、入力された１文字に該当するユーザ名であって表示オフの設定がなされていないユーザ名の登録キーＥを記憶部１７から抽出して一覧表示する。表示オフの設定がなされているユーザ名の登録キーＥは、表示対象から除外される。
【００７２】
次いでＳ１０６では、引き続き文字入力が行われたか否かを判断する。これは、例えば時間経過の程度で判断する。引き続き文字入力が行われていれば（Ｓ１０６の判断がＹＥＳ）、Ｓ１０７に進む。文字入力が行われていなければ（Ｓ１０６の判断がＮＯ）、Ｓ１１８で、ユーザが行った、一覧表示されたユーザ名の中の所定のユーザ名の選択操作を受け付けたのち、Ｓ１１３に進む。
【００７３】
Ｓ１０７では、文字（２文字）入力の受付処理を行い、Ｓ１０８では、入力された２文字に該当するユーザ名であって表示オフの設定がなされていないユーザ名の登録キーＥを記憶部１７から抽出して一覧表示する。この場合も、表示オフの設定がなされているユーザ名の登録キーＥは、一覧表示対象から除外される。
【００７４】
Ｓ１０９では、引き続き文字入力が行われたか否かを判断し、引き続き文字入力が行われていれば（Ｓ１０９の判断がＹＥＳ）、Ｓ１１０に進む。引き続き文字入力が行われなければ（Ｓ１０９の判断がＮＯ）、Ｓ１１９では、一覧表示されたユーザ名の中の所定のユーザ名の選択操作を受け付けたのち、Ｓ１１３に進む。
【００７５】
Ｓ１１０では、文字（３文字）入力の受付処理を行い、Ｓ１１１で、入力された３文字に該当するユーザ名であって表示オフの設定がなされていないユーザ名の登録キーＥを記憶部１７から抽出して一覧表示する。この場合も、表示オフの設定がなされているユーザ名の登録キーＥは、一覧表示対象から除外される。
【００７６】
Ｓ１１２では、引き続き文字入力が行われたか否かを判断し、引き続き文字入力が行われていれば（Ｓ１１２の判断がＹＥＳ）、以後文字入力の受付処理と該当ユーザ名の一覧表示処理と文字入力が行われたか否かの判断処理を繰り返したのち、全ての文字が入力されると、Ｓ１１３に進む。
【００７７】
Ｓ１１２において、引き続き文字入力が行われなければ（Ｓ１１２の判断がＮＯ）、Ｓ１２０では、一覧表示されたユーザ名の中の所定のユーザ名の選択操作を受け付けたのち、Ｓ１１３に進む。
【００７８】
Ｓ１１３では入力完了処理を行う。すなわち、パスワードの入力も受付け、これら情報を認証サーバ３に送信し、認証サーバ３からの認証結果を得る。
【００７９】
認証が成功すると、Ｓ１１４でＣＰＵ８は、ＭＦＰ１の各部にユーザが指定した動作を行わせる。ついで、Ｓ１１５では、ログオフするか否かを判断し、ログオフするのであれば（Ｓ１１５の判断がＹＥＳ）、Ｓ１１６に進み、ログオフしなければ（Ｓ１１５の判断がＮＯ）、Ｓ１１５に戻る。
【００８０】
Ｓ１１６では、ユーザ名の表示許否設定をユーザに行わせる（ここでは、図１９の画面が表示される）。そして、Ｓ１１７では、設定を記憶部７に記憶して終了する。ＭＦＰ１の次回動作時には、新しい設定が反映されることになる。
【００８１】
このように、ユーザが認証を受ける場合に、ユーザ名の一部が入力されると、自動的にユーザ名の候補が抽出されて、表示部１３２に抽出されたユーザ名候補が表示されるので、ユーザ名の入力操作の煩わしが軽減される。
【００８２】
次に、図１５に示したユーザ名の一覧表示処理（Ｓ１０５、Ｓ１０８、Ｓ１１１）のサブルーチンを図１６のフローチャートを参照して説明する。
【００８３】
図１６において、Ｓ２０１では、表示許否設定の登録内容を記憶部７から読み込む処理を行い、Ｓ２０２では、抽出された登録内容に従って表示オフを設定しているユーザ名が存在するか否かを判断し、表示オフを設定しているユーザ名が存在する場合には（Ｓ２０２の判断がＹＥＳ）、Ｓ２０３で、表示を許可しているつまり表示オフを設定していないユーザ名の登録キーのみを表示してリターンする。表示オフを設定しているユーザ名が存在しない場合には（Ｓ２０２の判断がＮＯ）、Ｓ２０４で、すべての登録キーを表示してリターンする。
【００８４】
このように、ユーザ名を表示されたくないユーザは、その表示をオフにでき、これにより、他人が入力操作している時に個人情報を把握されたくないユーザの要望に対応することができることになる。
【００８５】
図１７は、ＭＦＰ１の機能の使用中に、画像データの送信宛先の指定や保存先ボックスの指定のためにユーザ名の登録キーを表示する時の、表示許否設定の読み込み処理のサブルーチンを示すフローチャートである。
【００８６】
図１７において、Ｓ３０１では、本体アクセスか否かを判断する。本体アクセスである場合（Ｓ３０１の判断がＹＥＳ）、Ｓ３０２では、本体アクセスの場合の表示を許可されたユーザ名の登録キーを抽出して、Ｓ３０３に進む。
【００８７】
本体アクセスでない場合（Ｓ３０１の判断がＮＯ）、Ｓ３０４で、ネットワークアクセスか否かを判断する。ネットワークアクセスであれば（Ｓ３０４の判断がＹＥＳ）、Ｓ３０５で、ネットワークアクセスの場合の表示を許可されたユーザ名の登録キーを抽出して、Ｓ３０３に進む。ネットワークアクセスでなければ（Ｓ３０４の判断がＮＯ）、Ｓ３０１に戻る。
【００８８】
Ｓ３０３では、各操作モードでのキー抽出処理を行う。具体的には、Ｓ３０６で、スキャン送信モードにおいてユーザ名の一覧表示の必要が生じた時は、Ｓ３０７で、Ｓ３０２及びＳ３０５で抽出された登録キーの中から、スキャン送信モードでの表示を許可されているユーザ名の登録キーをさらに抽出して、読み込み処理を終了する。
【００８９】
また、Ｓ３０８で、ボックス保存モードにおいてユーザ名の一覧表示の必要が生じた時は、Ｓ３０９で、Ｓ３０２及びＳ３０５で抽出された登録キーの中から、ボックス保存モードでの表示を許可されているユーザ名の登録キーをさらに抽出して、読み込み処理を終了する。
【００９０】
また、Ｓ３１０で、ファクシミリ送信モードにおいてユーザ名の一覧表示の必要が生じた時は、Ｓ３１１で、Ｓ３０２及びＳ３０５で抽出された登録キーの中から、ファクシミリ送信モードでの表示を許可されているユーザ名の登録キーをさらに抽出して、読み込み処理を終了する。
【００９１】
Ｓ３０７、Ｓ３０９、Ｓ３１１で抽出されたユーザ名の登録キーは、操作パネル１３の表示部１３２に一覧表示される。表示オフの設定がなされているユーザ名の登録キーについては、一覧表示されることはない。
【００９２】
図１５のＳ１１６に示したユーザ名表示許否設定処理の内容を、図１８および図１９のフローチャートおよび図２０、図２１を参照して説明する。
【００９３】
図２０は、操作パネル１３の表示部１３２に表示された設定入力画面であり、この画面は前述したとおりＭＦＰ１のログオフ時に表示される。ログオフ時に次回の表示許否設定を促すので、ユーザはＭＦＰ１を使用する毎に設定や確認を行うことができる。
【００９４】
ユーザは、表示画面上で表示許否を設定する。設定は、認証時、スキャン送信モード時、ボックス保存モード時、ファクシミリ送信モード時のそれぞれについて行うことができ、かつ本体アクセス、ネットワークアクセスというアクセスモード別にも設定できる。
【００９５】
設定は、まず図２０の画面上において、表示オフの設定を行いたい場合には「ＹＥＳ」ボタンを押したのち、「個別設定」ボタンＫを押す。すると、図２１のようなユーザ名の一覧が表示され、表示オフを設定したいユーザ名の登録キーＥを選択することにより、そのユーザ名について表示オフが設定される。なお、図２１は、ボックス保存モードでの設定例を示している。
【００９６】
図１８および図１９において、Ｓ４０１では、認証入力時についてのユーザ名の表示許否設定入力を受け付けたのち、Ｓ４０２で、本体アクセス、ネットワークアクセスに応じたアクセスモード別の設定入力を受け付ける。
【００９７】
Ｓ４０３では、表示許否設定の対象ユーザ名がユーザ認証で許可されたユーザのユーザ名と同じであるか否か、換言すれば設定操作を行っているユーザが自己のユーザ名についての設定を行っているか否かを判断する。ユーザ認証で許可されたユーザ名と同じであれば（Ｓ４０３の判断がＹＥＳ）、Ｓ４０４では、認証時についての表示許否設定を許可して記憶部７に登録し、Ｓ４０５に進む。ユーザ認証で許可されたユーザ名と同じでなければ（Ｓ４０３の判断がＮＯ）、Ｓ４１７で、アクセスモード別の設定は不可として、そのまま終了する。
【００９８】
Ｓ４０５では、スキャンモードについてのユーザ名の表示許否設定入力を受け付け、さらに、Ｓ４０６で、アクセスモード別の設定入力を受け付ける。そして、Ｓ４０７で、表示許否設定の対象ユーザ名がユーザ認証で許可されたユーザのユーザ名と同じであるか否かを判断する。
【００９９】
ユーザ認証で許可されたユーザ名と同じであれば（Ｓ４０７の判断がＹＥＳ）、Ｓ４０８では、スキャンモードについての表示許否設定を許可して記憶部７に登録し、Ｓ４０９に進む。ユーザ認証で許可されたユーザ名と同じでなければ（Ｓ４０７の判断がＮＯ）、Ｓ４１８で、スキャンモードについての表示許否設定は不可として、そのまま終了する。
【０１００】
Ｓ４０９では、ボックス保存モードについてのユーザ名の表示許否設定入力を受け付け、さらに、Ｓ４１０では、アクセスモード別の設定入力を受け付ける。そして、Ｓ４１１で、表示許否設定の対象ユーザ名がユーザ認証で許可されたユーザのユーザ名と同じであるか否かを判断する。
【０１０１】
ユーザ認証で許可されたユーザ名と同じであれば（Ｓ４１１の判断がＹＥＳ）、Ｓ４１２で、ボックス保存モードについての表示許否設定を許可して記憶部７に登録し、Ｓ４１３に進む。ユーザ認証で許可されたユーザ名と同じでなければ（Ｓ４１１の判断がＮＯ）、Ｓ４１９で、ボックス保存モードについての表示許否設定は不可として、そのまま終了する。
【０１０２】
Ｓ４１３では、ファクシミリ送信モードについてのユーザ名の表示許否設定入力を受け付け、さらに、Ｓ４１４では、アクセスモード別の設定入力を受け付ける。そして、Ｓ４１５で、表示許否設定の対象ユーザ名がユーザ認証で許可されたユーザのユーザ名と同じであるか否かを判断する。
【０１０３】
ユーザ認証で許可されたユーザ名と同じであれば（Ｓ４１５の判断がＹＥＳ）、Ｓ４１６では、ファクシミリ送信モードについての表示許否設定を許可して記憶部７に登録し、リターンする。ユーザ認証で許可されたユーザ名と同じでなければ（Ｓ４１５の判断がＮＯ）、Ｓ４２０では、ファクシミリ送信モードについての表示許否設定は不可として、そのまま終了する。
【０１０４】
このように、この実施形態では、表示許否設定の対象ユーザ名がユーザ認証で許可されたユーザのユーザ名と同じであるか否かを判断し、同じである場合には設定を許可し、同じでなければ設定を不可とする。設定不可の場合には、その旨が画面上に表示される。例えば、ユーザ名「ｎａｋａｍｕｒａ」であるユーザが、図２１に示すように、他人のユーザ名である「ｎａｎｂａｒａ」を指定した場合には、「選択キーは無効です」というメッセージが表示される。
【０１０５】
以上、本発明の一実施形態を説明したが、本発明はこれら実施形態に限定されることはない。例えば、ユーザ名として「ｎａｋａｍｕｒａ」等のユーザの氏を用いたが、名でもよく、識別記号やアルファベットや数字であってもよい。
【０１０６】
また、ＭＦＰ１においてユーザ名の表示許否を設定をする場合を示したが、パソコンなどにおいて、ユーザ名やユーザ名以外の検索対象文字列を検索表示する場合であって、検索対象文字列の少なくとも一文字が入力されると該当する検索対象文字列の候補が一覧表示される場合に、検索対象文字列毎に表示許否設定を行うものとしてもよい。
【０１０７】
また、ＭＦＰ１の外部に認証サーバを設けたが、ＭＦＰ１の内部に認証手段が備えられていてもよい。
【０１０８】
また、本実施形態では、ＭＦＰ１の操作パネル１３上から表示許否設定を行う場合を示したが、ネットワークを通して外部ホストからＭＦＰ１にアクセスし、そのセッションを切断するときにホスト上の画面に表示許否設定画面を表示して設定するものとしても良い。
【図面の簡単な説明】
【０１０９】
【図１】この発明の一実施形態に係る表示制御装置を備えた画像形成装置（ＭＦＰ）を用いた画像形成システムを示すブロック図である。
【図２】図１に用いられているＭＦＰの電気的構成を示すブロック図である。
【図３】同じくＭＦＰとユーザ端末の各機能を示すブロック図である。
【図４】ユーザ認証時の待機画面である。
【図５】ユーザ認証時の入力画面である。
【図６】頭文字が入力された状態でのユーザ名の登録キーが一覧表示された画面である。
【図７】頭文字が入力された状態での所定のユーザ名の登録キーが表示されていない状態を示す画面である。
【図８】２文字が入力された状態でのユーザ名の登録キーが一覧表示された状態を示す画面である。
【図９】２文字が入力された状態での所定のユーザ名の登録キーが表示されていない状態を示す画面である。
【図１０】スキャンモードにおいて、ユーザ名の登録キーが一覧表示された状態を示す送信先選択画面である。
【図１１】スキャンモードにおいて、所定のユーザ名の登録キーが表示されていない状態を示す送信先選択画面である。
【図１２】ボックス保存モードにおいて、ユーザ名の登録キーが一覧表示された状態を示す保存先選択画面である。
【図１３】ボックス保存モードにおいて、所定のユーザ名の登録キーが表示されていない状態を示す保存先選択画面である。
【図１４】ボックス保存モードにおいて、スキャンモードでの設定とは異なるユーザ名の登録キーが表示されていない状態を示す保存先選択画面である。
【図１５】ユーザ認証時のユーザ名の入力に際して、ＭＦＰ１のＣＰＵ８が実行する処理の流れを示すフローチャートである。
【図１６】図１５のユーザ名の一覧表示処理のサブルーチン示すフローチャートである。
【図１７】ＭＦＰ１の機能の使用中にユーザ名の登録キーを表示する時の、表示許否設定の読み込み処理のサブルーチンを示すフローチャートである。
【図１８】図１５のユーザ名表示許否設定処理のサブルーチンを示すフローチャートである。
【図１９】図１８のフローチャートの続きである。
【図２０】ユーザ名の表示許否設定画面である。
【図２１】同じく表示許否の個別設定画面である。
【符号の説明】
【０１１０】
１          ＭＦＰ
２          ユーザ端末
３          認証サーバ
７          記憶部
７１        ボックス
７２        表示許否設定登録部
８          ＣＰＵ（抽出手段、表示制御手段、設定手段）
１３        操作パネル
１３２      表示部（表示装置）
【図１】
2006101190.tif 000003
【図２】
2006101190.tif 000004
【図３】
2006101190.tif 000005
【図４】
2006101190.tif 000006
【図５】
2006101190.tif 000007
【図６】
2006101190.tif 000008
【図７】
2006101190.tif 000009
【図８】
2006101190.tif 000010
【図９】
2006101190.tif 000011
【図１０】
2006101190.tif 000012
【図１１】
2006101190.tif 000013
【図１２】
2006101190.tif 000014
【図１３】
2006101190.tif 000015
【図１４】
2006101190.tif 000016
【図１５】
2006101190.tif 000017
【図１６】
2006101190.tif 000018
【図１７】
2006101190.tif 000019
【図１８】
2006101190.tif 000020
【図１９】
2006101190.tif 000021
【図２０】
2006101190.tif 000022
【図２１】
2006101190.tif 000023